(57)【特許請求の範囲】
【請求項１】
使い捨てのペン型注射器の針ユニットを収容する容器本体と、該容器本体の上部に配置した蓋部と、該蓋部を覆うための開閉自在の閉止部材とを備え、前記蓋部には前記針ユニットを挿入する挿入孔部を設け、該挿入孔部には前記針ユニットの回転を規制するための回転規制部を形成し、前記閉止部材の下面に前記挿入孔部内に上方から押し込む押込部を設け、
前記針ユニットを前記挿入孔部内に挿入し、前記回転規制部により前記針ユニットの回転を規制した状態で前記注射器本体を回転させ、前記挿入孔部に前記針ユニットを挿入したままの状態で前記針ユニットを前記注射器本体から分離し、
前記閉止部材を閉止して前記押込部を前記針ユニットに当接し、前記針ユニットを下方に押し込んで前記挿入孔部から前記容器本体内に落下させることを特徴とする注射針用廃棄箱。
【請求項２】
前記挿入孔部に形成した回転規制部は、前記挿入孔部の内壁に上下方向に設けた単数又は複数個の突条とし、前記針ユニットに設けた複数個の突条を回転方向に係止することを特徴とする請求項１に記載の注射針用廃棄箱。
【請求項３】
前記閉止部材はヒンジにより前記蓋部に連結したことを特徴とする請求項１又は２に記載の注射針用廃棄箱。
【請求項４】
前記閉止部材に廃棄時に使用する錠止爪を設け、廃棄時に前記錠止爪を前記蓋部に設けた錠止溝に嵌合して前記閉止部材を開閉不能に錠止することを特徴とする請求項１〜３の何れか１つの請求項に記載の注射針用廃棄箱。
【発明の詳細な説明】
【技術分野】
【０００１】
本発明は、注射器の注射器本体から使用済みの針ユニットを分離し、分離した針ユニットを安全に収納する注射針用廃棄箱に関するものである。
【背景技術】
【０００２】
通常、採血や点滴等において使用した使用済みの注射針を有する針ユニットには、患者の血液・体液が付着していることから、誤って針ユニットに触れると刺傷事故により感染症等を引き起こす虞れがある。従って、使用済みの針ユニットは医療用廃棄物として慎重に取り扱われている。
【０００３】
しかし、使用済みの注射器をそのまま廃棄箱に収納すると、廃棄箱が直ちに満杯となってしまうと云う問題を有している。また、使用済みの針ユニットを含む医療用廃棄物は、鋭利物を含んでいることから特に処理費用が高価であり、注射器から針ユニットを分離して、針ユニットのみを廃棄することが望まれている。
【０００４】
そこで、例えば特許文献１〜３に示すように、使用済みの注射器を注射器本体と針ユニットとに分離し、針ユニットのみを注射針用廃棄箱に投入し、この注射針用廃棄箱を鋭利物を含む医療用廃棄物として処分している。
【０００５】
特許文献１、２は、本出願人による注射針用廃棄箱の蓋部の登録意匠を示しており、採血等に用いた針ユニット及び点滴用に用いた翼状針を注射針用廃棄箱に投入することができる。
【０００６】
医療用に用いる注射器の形状は、用途により種々の形状のものがあり、採血等の広汎に用いる汎用の注射器、点滴時に用いる翼状針を有する注射器の他に、インスリンや成長ホルモンの自己注射の際に用いるペン型注射器も広く使用されている。
【先行技術文献】
【特許文献】
【０００７】
【特許文献１】意匠登録第１２６３８５６号公報
【特許文献２】意匠登録第１３２１９９６号公報
【特許文献３】特開２００９−２１９８３３号公報
【特許文献４】特開２００７−２９７４７号公報
【発明の概要】
【発明が解決しようとする課題】
【０００８】
従来の注射針用廃棄箱は特許文献１、２に示すように、採血等に用いる汎用の注射器に対応したものは多数存在する。しかし、ペン型注射器に対応した注射針用廃棄箱は少なく、特許文献３はペン型注射器に対応した医療廃棄容器が開示されているが、安全上の問題等が解決されていない。
【０００９】
この特許文献３に示す医療廃棄容器を用いることにより、使用済みのペン型注射器の針ユニットに針ケースを被着してから、針ケースを被せた針ユニットを分離することができる。しかし、使用済みの針ユニットに針ケースを被着させること自体が面倒であり、危険性を有している。また、注射針の先端は針ケースで保護されるものの、注射器本体側に挿入される注射針はむき出しのままであり、このような注射針の一部がむき出しのまま針ユニットを手で保持して、廃棄箱の投入口に投入する必要があり、安全上の問題を有している。
【００１０】
また、特許文献４に示す注射針用廃棄容器においては、注射針保持体を挿入孔に保持することが開示されている。この特許文献４においては、注射針保持体を廃棄容器内部に落とし込むには、次回に使用済みの注射針を廃棄する際に、何らかの手段により挿入孔に保持された注射針保持体を落とし込むようにしている。
【００１１】
従って、この注射針用廃棄容器においては、次の使用済み注射針が発生するまでの期間において、注射針用廃棄容器の上面には、注射針の一端がむき出しのままの注射針保持体が保持されていることとなり、不注意により指で触れてしまうなどの刺傷事故が生ずる虞れがある。
【００１２】
本発明の目的は、上述の課題を解消し、使用済みのペン型注射器から安全に注射器本体と針ユニットとに分離し、分離した針ユニットを手で触れることなく、分離後、直ちに収納することができる注射針用廃棄箱を提供することにある。
【課題を解決するための手段】
【００１３】
上記目的を達成するための本発明に係る注射針用廃棄箱は、使い捨てのペン型注射器の針ユニットを収容する容器本体と、該容器本体の上部に配置した蓋部と、該蓋部を覆うための開閉自在の閉止部材とを備え、前記蓋部には前記針ユニットを挿入する挿入孔部を設け、該挿入孔部には前記針ユニットの回転を規制するための回転規制部を形成し、前記閉止部材の下面に前記挿入孔部内に上方から押し込む押込部を設け、前記針ユニットを前記挿入孔部内に挿入し、前記回転規制部により前記針ユニットの回転を規制した状態で前記注射器本体を回転させ、前記挿入孔部に前記針ユニットを挿入したままの状態で前記針ユニットを前記注射器本体から分離し、前記閉止部材を閉止して前記押込部を前記針ユニットに当接し、前記針ユニットを下方に押し込んで前記挿入孔部から前記容器本体内に落下させることを特徴とする。
【発明の効果】
【００１４】
本発明に係る注射針用廃棄箱を用いることにより、使用済みのペン型注射器から針ケースを使用することなく、安全に注射器本体と針ユニットを分離し、分離した針ユニットのみを安全に収納することができる。
【図面の簡単な説明】
【００１５】
【図１】閉止部材を開けた状態の注射針用廃棄箱の斜視図である。
【図２】ペン型注射器の分解斜視図である。
【図３】注射針用廃棄箱でペン型注射器の針ユニットを外す状態の斜視図である。
【図４】注射針用廃棄箱でペン型注射器の注射器本体と針ユニットを分離した状態の斜視図である。
【図５】開止部材を閉止する過程の注射針用廃棄箱の斜視図である。
【図６】キャップ型注射器の斜視図である。
【図７】注射針用廃棄箱でキャップ型注射器の針ユニットを外す状態の斜視図である。
【図８】ロック型注射器の斜視図である。
【図９】注射針用廃棄箱でロック型注射器の針ユニットを外す状態の斜視図である。
【図１０】注射針用廃棄箱でチューブ付きの翼状針を廃棄する状態の斜視図である。
【図１１】開閉部材を閉止する状態の注射針用廃棄箱の斜視図である。
【発明を実施するための形態】
【００１６】
本発明を図示の実施例に基づいて詳細に説明する。
図１は本実施例における注射針用廃棄箱の斜視図を示しており、例えばポリプロピレン等の合成樹脂製の容器本体１の上面に、合成樹脂製の蓋部２が嵌合して取り付けられている。なお、この蓋部２は容器本体１に対して着脱自在ではなく、分離不可能となっていてもよい。この蓋部２の上面板には、インスリンや成長ホルモン等の自己注射時に用いるペン型注射器の針ユニットを挿入して取り外すための挿入孔部３が形成されている。そして、この挿入孔部３の内壁の上下方向に沿って回転規制部として単数又は複数個の突条３ａが設けられている。
【００１７】
更に、蓋部２の上面板には、採血やワクチン接種等の広汎に用いる汎用タイプのキャップ型やロック型注射器から針ユニットを取り外すための孔部４が穿孔されている。孔部４の中央には丸孔部４ａが設けられ、その両側にのコ字形状の矩形部４ｂ、４ｃが設けられている。矩形部４ｂの両側の下面４ｄは先端にゆくに従って下方に傾斜しているが、矩形部４ｃの両側の板厚は一定とされている。更に、蓋部２には、例えば点滴等に用いるチューブ付きの翼状針をチューブごと投棄するための大きな開口から成る投棄口５が設けられている。
【００１８】
蓋部２の側部には、蓋部２を覆うための閉止部材６がヒンジを介して開閉自在に取り付けられている。この閉止部材６の先端部には、蓋部２に設けた係止溝２ａに係止する係止爪６ａ、また蓋部２の錠止溝２ｂにそれぞれ嵌合するための折曲可能な２つの錠止爪６ｂが設けられている。また、閉止部材６の下面には先端を十字形状とした押込部６ｃが突出して成形されており、閉止部材６を閉止した際に、押込部６ｃは蓋部２の挿入孔部３に位置するようにされている。
【００１９】
図２はペン型注射器の分解斜視図を示しており、このペン型注射器は注射器本体１１と針ユニット１２とから構成されている。注射器本体１１の下端部の周囲には、外ねじ１３が刻設されている。針ユニット１２の合成樹脂から成る円筒形の基部１４の内側には、外ねじ１３と螺合するねじ溝１５が刻設されていると共に、基部１４の外周面に複数個の直線状の突条１６が上下方向に形成され、基部１４には注射針１７が上下に貫通されている。
【００２０】
注射器本体１１の外ねじ１３と、針ユニット１２のねじ溝１５とを螺合させることにより基部１４が注射器本体１１と連結し、注射器として使用できる。つまり、注射針１７の上端が注射器本体１１に挿し込まれ、注射器本体１１の注入ボタン１８を押すことにより、注射器本体１１内のインスリン等の薬液が注射針１７を介して外部に供給される。
【００２１】
図３はペン型注射器の使用済みの針ユニット１２を取り外す状態における注射針用廃棄箱の斜視図を示し、挿入孔部３の内径は針ユニット１２の基部１４の外径よりも僅かに細径となっている。上述したように、挿入孔部３の内壁には突条３ａが上下方向に形成されているので、閉止部材６を開け、注射器本体１１を持って針ユニット１２を挿入孔部３内に挿入すると、挿入孔部３の突条３ａは針ユニット１２の突条１６を回転方向に規制する。
【００２２】
針ユニット１２を挿入孔部３内に挿入した後に、注射器本体１１を矢印に示すように回転させると、針ユニット１２は回転が規制され螺合が外れるので、図４に示すように針ユニット１２から注射器本体１１を分離することができる。つまり、挿入孔部３に針ユニット１２を挿入したまま、注射器本体１１を取り外すことが可能となる。
【００２３】
このように、分離した針ユニット１２を挿入孔部３に挿入した状態において、図５に示すように閉止部材６を閉止すると、押込部６ｃが針ユニット１２の上部に当接する。更に、閉止部材６を閉止することにより、針ユニット１２は押込部６ｃにより下方に押し込まれて、挿入孔部３から外れて容器本体１内に落下するので、針ユニット１２に手を全く触れることなく、安全に針ユニット１２を容器本体１内に収容することができる。
【００２４】
閉止部材６を閉止して針ユニット１２を落下させた後には、閉止部材６の係止爪６ａを蓋部２の係止溝２ａに係止することにより、閉止部材６の閉止は保持される。閉止部材６を開ける際には係止爪６ａを動かして係止を外せばよい。
【００２５】
なお、この針ユニット１２は１回の注射ごとに使い捨てとしているが、注射器本体１１は同一の患者においては、新たな針ユニット１２を取り付けて、繰り返しの使用が可能である。
【００２６】
図６は汎用タイプのキャップ型注射器の分解斜視図を示しており、注射器本体２１と針ユニット２２とから構成されている。注射器本体２１の先端部には、先端にゆくに従い、細くなるテーパ部２３が設けられ、このテーパ部２３内に薬液を通すための孔部２３ａが穿けられている。針ユニット２２において、合成樹脂製の基部２４の中心部に注射器本体２１のテーパ部２３と嵌合するテーパ孔２５が設けられ、このテーパ孔２５と連通して基部２４の下部に注射針２６が固定されている。また、基部２４の周囲は断面四角形とされ、上端部にフランジ部２７が形成されている。そして、テーパ部２３をテーパ孔２５に嵌合することにより、注射器本体２１と針ユニット２２は連結され注射器として使用できる。
【００２７】
蓋部２の孔部４の矩形部４ｂの裏面である下面４ｄは、上述したように丸孔部４ａから離れるに従って下方に向けて傾斜されているので、図７に示すように針ユニット２２のフランジ部２７の上面を、この下面４ｄに引っ掛け、注射器本体２１を矢印方向に移動させる。これにより、下面４ｄにより針ユニット２２は注射器本体２１から抜き出され、針ユニット２２は容器本体１内に落下する。
【００２８】
図８は汎用タイプのロック型注射器の分解斜視図を示している。なお、このロック型注射器に用いる針ユニットはキャップ型の針ユニット２２と共通して使用可能であり、針ユニット２２については詳細な説明を省略する。
【００２９】
このロック型注射器の注射器本体３１の先端の円筒部の内壁には、ねじ溝部３２が刻設されている。そして、ねじ溝部３２に針ユニット２２のねじの一部となっているフランジ部２７を螺合させることにより、注射器本体３１と針ユニット２２を連結させ、注射器として使用することができる。
【００３０】
使用済みのロック型注射器において針ユニット２２を取り外す際には、図９に示すように矩形部４ｃに針ユニット２２の断面四角形の基部２４を嵌合する。これにより、注射器本体３１を矢印方向に回転させると、矩形部４ｃにより針ユニット２２の回転が規制されるので、注射器本体３１と針ユニット２２同士の螺合を外すことができる。そして、分離した針ユニット２２は、注射器本体３１の先端部を用いて丸孔部４ａに移動させると容器本体１内に落下する。
【００３１】
なお、本実施例においては、針ユニット２２を外すために矩形部４ｃと断面四角形の基部２４を用いたが、必ずしもこのような形状でなくともよい。
【００３２】
また、図１０に示すように、投棄口５を用いることにより、例えばチューブ付きの翼状針４１をチューブが付いたまま収容することができる。
【００３３】
キャップ型、ロック型注射器の針ユニット２２を分離した後においても、閉止部材６を閉止することが好ましい。注射針廃棄箱が倒れるようなことがあっても、閉止部材６の閉止により、内部の針ユニット１２、２２、翼状針４１等が投棄口５からこぼれる出すことがなくなる。
【００３４】
更に、注射針用廃棄箱が使用済みの針ユニット１２、２２、翼状針４１等で満杯となり、注射針用廃棄箱自体を廃棄する際には、図１１に示すように、閉止部材６の先端に設けた２つの錠止爪６ｂを折り曲げて、蓋部２の上面の錠止溝２ｂに嵌合させることにより錠止すると共に、閉止部材６の係止溝２ａと係止爪６ａが係止し、閉止部材６は開閉不能な状態となるので、そのまま安全に廃棄することができる。
【００３５】
なお、本実施例には図示は省略しているが、投棄口５の下方には容器本体１内に落下した針ユニット１２、２２が容器本体１の底部で跳ね返り、投棄口５から飛び出すことを防止するために、必要に応じて斜め下方に向けて跳ね返り防止板を着脱自在に取り付けることができる。
【００３６】
本実施例における注射針用廃棄箱は、挿入孔部３、孔部４を設けることにより、ペン型注射器、汎用のキャップ型、ロック型の何れのタイプの注射器においても、使用済みの注射針を安全に分離、収容することができるが、挿入孔部３のみを設けて、ペン型注射器の針ユニット１２のみを分離、収容することもできる。
【符号の説明】
【００３７】
１  容器本体
２  蓋部
２ａ  係止溝
２ｂ  錠止溝
３  挿入孔部
３ａ、１６  突条
４  孔部
４ａ  丸孔部
４ｂ、４ｃ  矩形部
４ｄ  下面
５  投棄口
６  閉止部材
６ａ  係止爪
６ｂ  錠止爪
６ｃ  押込部
１１、２１、３１  注射器本体
１２、２２  針ユニット
１３  外ねじ
１４、２４  基部
１５  ねじ溝
１７、２６  注射針
２３  テーパ部
【図１】
0005394520.tif 000002
【図２】
0005394520.tif 000003
【図３】
0005394520.tif 000004
【図４】
0005394520.tif 000005
【図５】
0005394520.tif 000006
【図６】
0005394520.tif 000007
【図７】
0005394520.tif 000008
【図８】
0005394520.tif 000009
【図９】
0005394520.tif 000010
【図１０】
0005394520.tif 000011
【図１１】
0005394520.tif 000012